【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
記録媒体に対する記録／再生用のヘッドを搭載したスライダと、
前記スライダを支持するスライダ支持部材と、
前記スライダ遊端側に位置する突起部を有するロードビームと、
前記ロードビームに配置されたフレクシャと、
前記フレクシャと前記スライダ支持部材との間に配置された一対の変位部材と、
を備え、
前記ロードビームは、前記スライダ支持部材が前記突起部上で、前記ロードビームの長手方向に垂直でかつ、前記突起部の中心を通る軸の周りをヨー方向に回動するように、前記スライダ支持部材を支持し、
前記一対の変位部材の各々は、前記ロードビームの長手方向に平行でかつ前記スライダ支持部材の回動中心部を通る中心線に対して両側に配置され、
前記一対の変位部材のうちの一方が伸長する際に、他方の変位部が収縮する構成とすることで、これら変位部材は相互に逆方向の動作を行う、ことを特徴とするヘッド支持機構。
【請求項２】
記録媒体に対する記録／再生用のヘッドを搭載したスライダと、
前記スライダを支持するスライダ支持部材と、
スライダ遊端側に位置する突起部を有するロードビームと、
前記ロードビームに配置されたフレクシャと、
前記フレクシャと前記スライダ支持部材との間に配置された一対の変位部材と、
を備え、
前記ロードビームは、前記スライダ支持部材が前記突起部上で、前記ロードビームの長手方向に垂直でかつ、前記突起部の中心を通る軸の周りをヨー方向に回動するように、前記スライダ支持部材を支持し、
前記スライダ支持部材は、主部と、前記ロードビーム上の前記突起部と接触するように前記主部に連結されたスライダ重心保持部と、前記ロードビームの基端に向かって前記主部からその両側に延出する質量平衡部とを含む、ことを特徴とするヘッド支持機構。
【請求項３】
記録媒体に対する記録／再生用のヘッドを搭載したスライダと、
前記スライダを支持するスライダ支持部材と、
スライダ遊端側に位置する突起部を有するロードビームと、
前記ロードビームに配置されたフレクシャと、
前記フレクシャとスライダ支持部材との間に配置された一対の変位部材と、
を備え、
前記ロードビームは、前記スライダ支持部材が前記突起部上で、前記ロードビームの長手方向に垂直でかつ、前記突起部の中心を通る軸の周りをヨー方向に回動するように、前記スライダ支持部材を支持し、
前記スライダ支持部材は、主部と、前記ロードビーム上の前記突起部と接触するように前記主部に結合された前記スライダの重心保持部とを備え、前記スライダの重心保持部は階段構造を有する、ことを特徴とするヘッド支持機構。
【請求項４】
前記スライダ重心保持部は、前記フレクシャの配線用フレキシブル基板と一体に成形されてなる、請求項２または３に記載のヘッド支持機構。
【請求項５】
前記一対の変位部材が、一対の薄膜圧電体で構成される、ことを特徴とする請求項1に記載のヘッド支持機構。
【請求項６】
前記スライダ支持部材は、前記スライダと前記スライダ支持部材とからなる回動対象の全体の重心位置において、前記突起部上で回動自在に支持される、ことを特徴とする請求項１，２または３に記載のヘッド支持機構。
【請求項７】
前記スライダ重心保持部は、前記スライダをその重心または重心の近傍で固定し、前記重量平衡部は、前記スライダ重心保持部において前記主部の質量のバランスをとる、ことを特徴とする請求項２に記載のヘッド支持機構。
【請求項８】
前記一対の変位部材は、それぞれ前記ロードビームの長手方向に平行である前記中心線に対して対称的に配置されて、前記スライダ支持部材の回動中心を通る、ことを特徴とする請求項１に記載のヘッド支持機構。
【請求項９】
前記一対の変位部材の各々は、前記ロードビームの長手方向に対して平行でかつ前記スライダ支持部材の回動中心を通る中心線に沿った前記ロードビームの両側に配置されており、
前記一対の変位部材は、一対の薄膜圧電体から構成され、
前記一対の変位部材のうちの一方が伸長する際に、他方の変位部が収縮する構成とすることで、これら変位部材は相互に逆方向の動作を行う、ことを特徴とする請求項２に記載のヘッド支持機構。
【請求項１０】
前記一対の変位部材それぞれは、前記ロードビームの長手方向に平行でかつ前記スライダ支持部材の回動中心を通る中心線に対して対称配置される、ことを特徴とする請求項９に記載のヘッド支持機構。
【請求項１１】
前記階段構造を有する前記スライダ重心保持部は、前記主部から一連一体に延出させた部分を屈曲させることで形成される、ことを特徴とする請求項３に記載のヘッド支持機構。
【請求項１２】
前記階段構造を有する前記スライダ重心保持部は、ピッチ方向にスライダ勾配が設定されている、ことを特徴とする請求項３に記載のヘッド支持機構。
【請求項１３】
前記スライダ支持部材は、主部と、前記ロードビーム上の突起と接触するように前記主部に連結されたスライダ重心保持部と、前記ロードビームの基端に向かって前記主部から両側に延出する重量平衡部とを含む、ことを特徴とする請求項３に記載のヘッド支持機構。
【請求項１４】
前記一対の変位部材のうちの一つは、前記ロードビームの長手方向に対して平行でかつ前記スライダ支持部材の回動中心を通る中心線に沿った前記ロードビームの両側に配置されており、
前記一対の変位部材は、一対の薄膜電圧体から構成され、
前記一対の変位部材のうちの一方が伸長する際に、他方の変位部が収縮する構成とすることで、これら変位部材は相互に逆方向の動作を行う、ことを特徴とする請求項３に記載のヘッド支持機構。
【請求項１５】
前記一対の変位部材それぞれは、前記ロードビームの長手方向に平行でかつ前記スライダ支持部材の回動中心を通る中心線に対して対称配置される、ことを特徴とする請求項１４に記載のヘッド支持機構。
【請求項１６】
前記一対の薄膜電圧体は、複数の薄膜電圧体素子から構成される、ことを特徴とする請求項５、９、または１４に記載のヘッド支持機構。
【請求項１７】
前記一対の薄膜電圧体には、初期段階でバイアス電圧が印加されるとともに、伸張動作と収縮動作とのそれぞれにおいて、前記バイアス電圧を基準に互いに逆極性の電圧が印加される、ことを特徴とする請求項５、９、または１４に記載のヘッド支持機構。
【請求項１８】
前記フレクシャと前記薄膜電圧体とは、両者の厚み方向の中立軸が互いにほぼ一致する状態に設けられる、ことを特徴とする請求項５、９、または１４に記載のヘッド支持機構。
【請求項１９】
前記フレクシャの一部が、樹脂からなる可撓性の配線基板により構成され、前記一対の変位部材は、前記配線基板に設けられる、ことを特徴とする請求項１、２または３に記載のヘッド支持機構。
【請求項２０】
前記スライダ支持部材と前記一対の変位部材とは、前記スライダ支持部材の一端に設けられた一対の弾性ヒンジ部により連結される、ことを特徴とする請求項１、２、または３に記載のヘッド支持機構。
【請求項２１】
前記一対の弾性ヒンジ部を結ぶ線の中心が前記突起部と一致する、ことを特徴とする請求項２０に記載のヘッド支持機構。
【請求項２２】
前記一対の弾性ヒンジ部は、前記スライダと前記スライダ支持部材との積み重ね方向において、前記スライダの面積範囲内に配置される、ことを特徴とする請求項２０に記載のヘッド支持機構。
【請求項２３】
前記一対の弾性ヒンジ部は、そこに配線が通されている、ことを特徴とする請求項２０に記載のヘッド支持機構。
【請求項２４】
前記弾性ヒンジ部に通されている配線は、その厚みが幅より大きく構成されている、ことを特徴とする請求項２０に記載のヘッド支持機構。
【請求項２５】
前記フレクシャは、前記ロードビームの長手方向に平行でかつ前記突起部を通る前記ロードビームの中心線に対して対称であるの２つの部分が、互いにくびれた形状の一対の弾性ヒンジ部を形成する、ことを特徴とする請求項２０に記載のヘッド支持機構。
【請求項２６】
前記一対の弾性ヒンジ部は、前記突起部を通り前記ロードビームの長手方向の直角方向の直線上に配置される、ことを特徴とする請求項２０に記載のヘッド支持機構。
【手続補正２】
【補正対象書類名】明細書
【補正対象項目名】００１１
【補正方法】変更
【補正の内容】
【００１１】
以上を要するに、本発明のヘッド支持機構は、記録媒体に対する記録／再生用のヘッドを搭載したスライダと、前記スライダを支持するスライダ支持部材と、前記スライダ遊端側に位置する突起部を有するロードビームと、前記ロードビームに配置されたフレクシャと、前記フレクシャと前記スライダ支持部材との間に配置された一対の変位部材とを備える。前記ロードビームは、トラッキング補正を供与するために、前記ロードビームの法線方向に伸びた突起部の中心を通って引かれた軸周突起部のヨーイング方向に沿って前記スライダ支持部材が回動するように前記スライダ支持部材を支持する。前記一対の変位部材のうちの一つは、前記ロードビームの長手方向に平行な中心線に対して前記ロードビームのそれぞれの側に配置されて、前記スライダ支持部材の前記回動中心部を通る。前記一対の変位部材のうちの一方は伸長可能とされ、他方の変位部材は収縮可能とされることで、これら変位部材は相互に逆方向の動作が行える。